(57)【要約】【課題】映像音声出力装置を複数組み合わせてマルチ画面ディスプレイを構成する際、サーバの処理能力、およびネットワークの占有伝送帯域幅を増加させることなく多彩な機能を具備させる。【解決手段】映像音声出力装置に、ネットワークを介して映像音声データのストリームを受信するネットワーク処理手段と、該ネットワーク処理手段で受信した映像音声データを復号する復号手段と、復号手段により復号した映像信号を表示する映像表示手段と、復号手段により復号した音声信号を出力する音声出力手段と、これら映像表示手段と音声出力手段を制御する制御手段と、マルチ画面ディスプレイにおける設置位置を入力する入力手段とを具備させ、入力手段からの設置位置情報に応じて、この制御手段により復号した映像信号のうち、各映像音声出力装置が表示すべき映像信号を切り出し、映像表示手段に出力するようにした。【選択図】図１
2012049723.tif 000002
【特許請求の範囲】
【請求項１】
映像音声出力装置を複数組み合わせて映像音声信号を出力する映像音声出力装置であって、
前記映像音声信号に含まれる映像信号を出力する映像表示部と、
前記映像信号のうち、前記映像音声出力装置が表示する部分を示す設置位置情報を記憶する記憶部と、
前記設置位置情報に基づき、前記映像信号の前記映像音声出力装置が表示する部分の映像信号を切り出し、前記映像表示部に切り出した映像信号を表示させる制御部と、
を有することを特徴とする映像音声出力装置。
【請求項２】
請求項１に記載の映像音声出力装置において、
前記設置位置情報は、前記映像音声出力装置が表示する映像信号を拡大する倍率を示す拡大率情報を含み、
前記制御部は、前記設置位置情報に含まれる拡大率情報に基づき、前記映像信号を表示する場合に、切り出した前記映像信号を拡大することを特徴とする映像音声出力装置。
【請求項３】
請求項１または２に記載の映像音声出力装置において、
前記映像音声出力装置は、さらに音声出力部を備え、
前記設置位置情報は、前記音声信号のうち前記映像音声出力装置が出力する部分の音声信号を示す情報が含まれており、
前記制御部は、前記設置位置情報に基づき、前記映像音声出力装置が出力する前記音声信号を出力する場合の出力バランスを制御することを特徴とする映像音声出力装置。
【請求項４】
請求項１ないし請求項３に記載の映像音声出力装置において、
前記設置位置情報は、前記映像音声出力装置を隣接して複数設置した場合のそれぞれの位置とすることを特徴とする映像音声出力装置。
【請求項５】
請求項１ないし４に記載の映像音声出力装置において、
所定の被写体の映像を撮像する映像撮影部と、
前記他の映像音声出力装置から情報を受信するネットワーク接続部と、を備え、
前記制御部は、前記映像表示部が撮像した画像に基づいて、撮像した前記映像の前記被写体の位置を取得し、前記他の映像音声出力装置が撮像した前記被写体の画像に映る前記被写体の位置と、を比較することにより、前記映像音声出力装置の設置位置を判別し、判別した設置位置を前記設置位置情報に記録することを特徴とする映像音声出力装置。
【請求項６】
請求項５に記載の映像音声出力装置において、
前記ネットワーク接続部は、前記映像撮影部が撮影した映像を前記他の映像音声出力装置に送信することを特徴とする映像音声出力装置。
【請求項７】
請求項６に記載の映像音声出力装置において、
前記制御部は、前記映像撮影部が撮影した映像における前記被写体の横方向の位置と、縦方向の位置と、に基づいて前記被写体の前記映像撮影部からの視角を演算し、前記ネットワーク接続部は、他の映像音声出力装置の制御部が演算した他の映像音声出力装置が備える映像撮影部からの前記被写体の視角を相互に比較することにより前記設置位置を取得することを特徴とする映像音声出力装置。
【請求項８】
請求項４に記載の映像音声出力装置において、
前記映像音声出力装置の上面、下面、左面、右面に、他の映像音声出力装置が上あるいは下あるいは左あるいは右に設置されたことを検出する設置センサを備え、
前記制御部は、前記設置センサが他の映像音声出力装置が上あるいは下あるいは左あるいは右に設置されたことを検出した場合に、その設置位置を判定することで前記設置位置を取得することを特徴とする映像音声出力装置。
【請求項９】
映像音声出力装置を複数組み合わせて映像音声信号を出力する映像出力方法であって、
前記映像音声信号に含まれる映像信号を出力し、
前記映像信号のうち、前記映像音声出力装置が表示する部分を示す設置位置情報を記憶し、
前記設置位置情報に基づき、前記映像信号の前記映像音声出力装置が表示する部分の映像信号を切り出し、前記映像表示部に切り出した映像信号を表示することを特徴とする映像音声出力方法。
【請求項１０】
請求項９に記載の映像音声出力方法において、
前記映像音声出力装置が出力する部分の音声信号を含む記設置位置情報に基づき、前記映像音声出力装置が出力する前記音声信号を出力する場合の出力バランスを制御することを特徴とする映像音声出力方法。
【発明の詳細な説明】
【技術分野】
【０００１】
映像及び音声を出力する映像音声出力装置に関する。
【背景技術】
【０００２】
コンピュータネットワークの普及に伴い、例えば、下記特許文献１にみられるように、この種の映像音声出力装置を組み合わせてＬＡＮで接続し、同期再生機能を与えた大画面のマルチ画面ディスプレイが開発されている。
今後、こうした大画面のマルチ画面ディスプレイの画質、音質の向上、多機能化に合わせて、更に高度な通信機能を持った映像再生装置が普及することが予想されている。
【先行技術文献】
【特許文献】
【０００３】
【特許文献１】特開２００７−１８３６５４号公報
【発明の概要】
【発明が解決しようとする課題】
【０００４】
上記特許文献１に記載されたマルチ画面ディスプレイにおいては、サーバの処理能力と、ネットワークの伝送帯域幅を十分に確保しなければ、複数の映像再生装置が同期して元となる映像を円滑に再生することができなかった。
【課題を解決するための手段】
【０００５】
そこで本明細書では例えば、映像信号および音声信号を再生する機器の設置位置に応じて、表示する前記映像信号の切り出し位置と拡大率、および出力する前記音声信号の出力バランスを制御する構成とする。
【発明の効果】
【０００６】
本映像音声出力装置あるいは映像音声出力方法によれば、サーバの処理能力、およびネットワークの占有伝送帯域幅を増加させることなく、円滑なマルチ画面ディスプレイの映像信号及び音声信号の再生を実現できる。
【図面の簡単な説明】
【０００７】
【図１】映像音声出力装置を含む映像音声伝送システムの一例を示す図
【図２】映像音声出力装置の構成の一例を示す図
【図３】サーバの構成の一例を示す図
【図４】映像音声出力装置の時計部の構成の一例を示す図
【図５】映像音声出力装置の同期再生処理のフローチャートの一例を示す図
【図６】サーバから映像音声出力装置に送信される映像の一例を示す図
【図７】４台の映像音声出力装置を組み合わせて映像を表示させた場合の表示画面の一例を示す図
【図８】映像音声出力装置のブロック構成の一例を示す図
【図９】映像音声出力装置の設置位置検出方法の一例を示す図
【発明を実施するための形態】
【０００８】
（実施例１）
図１は、映像音声出力装置を含む映像音声伝送システムの一例である。ここでは、大画面のマルチ画面ディスプレイとして、４個の映像音声出力装置１１〜１４を使用し、それぞれをネットワークで接続した状態を示している。
２は映像音声データを配信するサーバ、３は例えばインターネットのようなネットワークであり、それぞれの装置がネットワーク３にＬＡＮ（Ｌｏｃａｌ  Ａｒｅａ  Ｎｅｔｗｏｒｋ）５及びルータ４を介して接続されている。ネットワークにおいては、ネットワークプロトコルとして標準のＩＰ（Ｉｎｔｅｒｎｅｔ  Ｐｒｏｔｏｃｏｌ）を使用し、上位のトランスポートプロトコルにはＴＣＰ（Ｔｒａｎｓｍｉｓｓｉｏｎ  Ｃｏｎｔｒｏｌ  Ｐｒｏｔｏｃｏｌ）及びＵＤＰ（Ｕｓｅｒ  Ｄａｔａｇｒａｍ  Ｐｒｏｔｏｃｏｌ）を用いる。コンテンツの伝送には更に上位のアプリケーションプロトコル、例えばＲＴＰ（Ｒｅａｌ−ｔｉｍｅ  Ｔｒａｎｓｐｏｒｔ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）等が使用される。映像音声出力装置１１、１２，１３、１４は、サーバ２から配信される映像音声データを受信し、映像、音声を出力する。
【０００９】
図２は映像音声出力装置１１の構成の一例を示す図である。
映像音声出力装置１１は、放送信号入力端子２０１、チューナ２０２、復調部２０３、デスクランブラ２０４、暗号化／復号処理部２０５、ストリーム処理部２０６、映像デコーダ２０７、音声デコーダ２０８、時計部２０９、映像処理部２１０、音声処理部２１１、映像出力部２１２、音声出力部２１３、映像音声入出力端子２１４、ネットワーク接続部２１５、ネットワーク接続端子２１６、外部機器制御部２１７、外部機器接続端子２１８、制御部２１９、記憶部２２０、メモリ２２１、から構成される。ただし、本実施例を実現することができれば、映像音声出力装置１１は図２に含まれる全ての構成を有する必要は無く、また、図２に含まれない他の構成が含まれることを除外するものでもない。
【００１０】
放送信号入力端子２０１は、アンテナ、ケーブル等が受信した放送信号データの入力を受け付ける。放送信号入力端子２０１が受け付ける放送信号は地上波デジタル信号、アナログ地上波信号やＢＳ、ＣＳなどの放送信号である。放送信号入力端子２０１が地上波デジタル信号の入力を受け付ける場合、チューナ２０２は、放送信号入力端子２０１が受け付けた放送信号データから特定の番組の情報を抽出し、デジタル信号に変換する。復調部２０３は、チューナ２０２が抽出した特定の番組の情報からテレビ番組用の符号化された映像音声データおよび各種データが多重化されたストリームを生成する。
【００１１】
デスクランブラ２０４は、サービス事業者との契約者のみに視聴させる場合や地上波デジタル放送を視聴する場合など、復調部２０３が生成したストリームにスクランブルがかかっている場合に、図示しない、サービス事業者から発行された情報、またはＢ−ＣＡＳカード（登録商標）から取得した情報および放送波に多重されている鍵情報を使うなどして、スクランブルを解除する。
スクランブルを解除されたストリームを記憶部２２０などに記憶させる場合について説明する。ストリームのコピー制限情報が世代コピー可の制限をもつ場合、デスクランブラ２０４から送信されたストリームをストリーム処理部２０６はストリームを暗号化／復号処理部２０５に送信する。暗号化／復号処理部２０５は、受信したストリームを暗号化し、暗号化したストリームを記憶部２２０に記憶させる。暗号化の際の鍵は、例えば、映像音声出力装置１１の持つ固有情報、記憶部２２０の持つ固有情報、そのほか乱数などから生成される。記憶部２２０に記憶されるストリームは、制御部２１９によってストリームリストとして管理される。
【００１２】
放送信号入力端子２０１およびネットワーク接続端子２１５から入力されたストリームを視聴する場合、ストリームはストリーム処理部２０６に入力される。また、記憶部２２０から再生されるストリームは、暗号化／復号処理部２０５によって復号された後にストリーム処理部２０６に入力される。
放送信号入力端子２０１およびネットワーク接続端子２１５から受信したストリーム、記憶部２２０で記憶したストリームがＭＰＥＧ２のトランスポートストリーム（ＴＳ：Ｔｒａｎｓｐｏｒｔ  Ｓｔｒｅａｍ）である場合は、映像データと音声データを同期して出力できるように、映像音声出力装置１１が参照する時刻基準情報値であるプログラムクロックリファレンス（ＰＣＲ）がストリームに多重されている。ストリーム処理部２０６は、入力されるトランスポートストリームからＰＡＴ（Ｐｒｏｇｒａｍ  Ａｓｓｏｃｉａｔｉｏｎ  Ｔａｂｌｅ）／ＰＭＴ（Ｐｒｏｇｒａｍ  Ｍａｐ  Ｔａｂｌｅ）を取得し、パケット識別子（ＰＩＤ）を判別する。ストリーム処理部２０６は、判別したＰＩＤを持つＴＳパケットに多重分離（Ｄｅｍｕｌｔｉｐｌｅｘ）する。ストリーム処理部２０６は、圧縮符号化映像データと、圧縮符号化音声データと、ＰＣＲと、をＰＩＤに応じてそれぞれ映像デコーダ２０７、音声デコーダ２０８、時計部２０９に出力する。
【００１３】
圧縮符号化映像データは、映像デコーダ２０７で伸張が施された後、映像処理部２１０にて付属情報が重畳されて映像信号とされ、映像出力部２１２によって出力される。ここで、映像処理部２１０は、映像信号に文字情報などを重畳することができる。また、圧縮符号化音声データは音声デコーダ２０８で慎重が施された後、音声処理部２１１にて左右の音声のバランス調整などの処理を施されて音声信号とされ、音声出力部２１３によって出力される。さらに、映像信号および音声信号は映像音声入出力端子２１４からそれぞれ外部の機器に出力することができ、必要であれば映像処理部２１０および音声処理部２１１はそれぞれ映像信号および音声信号をデジタル形式からアナログ形式へ変換して映像音声入出力端子２１４に出力する。なお、映像音声入出力端子２１４は、ＨＤＭＩ（登録商標）などの端子のように、映像および音声を同時に出力することができる端子として１つにまとめることもできる。さらに、映像音声入出力端子２１４は、外部の機器から映像信号および音声信号の入力を受け付けることができ、映像音声入出力端子２１４から入力された映像信号および音声信号は、それぞれ映像出力部２１２および音声出力部２１３から出力される。なお、映像音声入出力端子２１４は、映像入出力端子と音声入出力端子とに分かれていてもよい。
【００１４】
時計部２０９は、ストリーム処理部２０６から出力されたＰＣＲをシステムタイムクロック（ＳＴＣ）カウンタの計数値の初期値として設定する。時計部２０９はカウンタの計数値を増加させ、各映像データに付随している復号時刻情報（ＤＴＳ）がこの計数値に一致した時刻にデコード（復号）を行うように映像デコーダ２０７および音声デコーダ２０８に指示を行う。映像音声出力装置１１は映像または音声データに付随する再生出力時刻情報（ＰＴＳ）が一致した時刻に映像または音声データの出力を行う。
【００１５】
受信したストリームがＭＰＥＧ２のＰＥＳパケットの場合には、ＰＥＳに含まれるＰＴＳ、ＤＴＳの値と時計部２０９のカウンタ値とに基づき、デコード開始及び出力開始タイミングが制御される。
ネットワーク接続端子２１６は、図１のＬＡＮ５に接続される。ネットワーク接続部２１５は、ネットワーク接続端子２１６を介してサーバ２や他の映像音声出力装置と各種情報の送受信を行う。また、ネットワーク接続部２１５は、例えば、データの到達が保証されず信頼性はないがリアルタイム性のある伝送モード（以降、リアルタイム伝送モードと呼ぶこともある）と、データの到達が保証され信頼性はあるがリアルタイム性のない伝送モード（以降、信頼性のある伝送モードと呼ぶこともある）に動作を切り換え可能である。
【００１６】
ここで、リアルタイム伝送モードには、例えば、ＵＤＰ（Ｕｓｅｒ  Ｄａｔａｇｒａｍ  Ｐｒｏｔｏｃｏｌ）、およびＲＴＰ（Ｒｅａｌ−Ｔｉｍｅ  Ｔｒａｎｓｐｏｒｔ  Ｐｒｏｔｏｃｏｌ）が用いられる。この方式では、送信したデータが相手に届いたかどうかを確認しないので、伝送パケットが失われて相手に届かない場合があり、映像や音声が途切れることがあるが、反面、データの送信は継続するので遅延が少なく、リアルタイム性が維持できる。
例えば、ＲＴＰでは、ネットワークを経由して転送されると、パケットの喪失や、配送の遅れが起こる。しかし、映像や音声のデータは、データの一部が欠けていても再生が可能である。データの受信側では、喪失や、配送の遅れたパケットは無視し、受信側が期待する時間に到着したパケットだけを利用してデータの再生を行う。受信側は、受信したパケットについて、受信確認応答（ＡＣＫｎｏｗｌｅｄｇｅｍｅｎｔ）を逐一送ることはしない。
また、信頼性のある伝送モードには、例えば、ＴＣＰ（Ｔｒａｎｓｍｉｓｓｉｏｎ  Ｃｏｎｔｒｏｌ  Ｐｒｏｔｏｃｏｌ）、およびＨＴＴＰ（ＨｙｐｅｒＴｅｘｔ  Ｔｒａｎｓｆｅｒ  Ｐｒｏｔｏｃｏｌ）またはＦＴＰ（Ｆｉｌｅ  Ｔｒａｎｓｆｅｒ  Ｐｒｏｔｏｃｏｌ）が用いられる。この方式では、送信したデータが相手に届いたかどうかを確認し、伝送パケットが失われて相手に届かなかった場合は、再度送信処理を行うので、その間、映像や音声が停止してしまうことあるが、データの信頼性は確保される。
【００１７】
ネットワーク接続部２１５は、ＬＡＮ５に接続されたネットワーク接続端子２１６を介して、サーバ２からストリームを受信する。外部機器制御部２１７は、外部機器接続端子２１８を介して図１の外部機器４００に接続されており、ＵＳＢ（Ｕｎｉｖｅｒｓａｌ  Ｓｅｒｉａｌ  Ｂｕｓ）デバイスなどの外部機器４００からの入力情報を受信し、作成した外部機器４００を制御するための制御情報を外部機器４００に送信する。
制御部２１９は、映像音声出力装置１１全体の動作を制御する。同期処理部２２７は、記憶部２２０に記憶された同期処理プログラム２２２を制御部２１９がメモリ２２１に展開して実行することで、ソフトウェアによって同期処理の機能が実現される。ソフトウェアとして実現された同期処理の機能は同期処理部２２７のように同期処理を行う処理部として集積回路化するなどしてハードウェアとして実現することもできる。以下では説明を簡略化するために、同期処理プログラム２２２を制御部２１９が実行することで実現される各処理を、同期処理部２２７が主体となって行うものとして説明する。なお、同期処理部２２７をハードウェアで実現した場合には、同期処理部２２７が主体となって各処理を行う。
【００１８】
図３は、サーバの構成の一例を示す図である。
サーバ２は、制御部３０１、メモリ３０２、記憶部３０３、ネットワーク接続部３０４、ネットワーク接続端子３０５、外部機器制御部３０６、外部機器接続端子３０７、エンコーダ３０８から構成される。
制御部３０１は、記憶部３０３に記憶されたプログラムをメモリ３０２に展開し、展開したプログラムを実行することで、サーバ２の起動、情報処理、情報の送受信など、サーバとしての機能を実現する。記憶部３０３は、ＨＤＤやＳＳＤ、ＤＶＤ、ＢＤ、ＩＣカードなどの記憶装置であり、映像音声出力装置１１に出力するコンテンツ、制御部３０１がメモリ３０２に展開するプログラム、テーブルなどを記憶することができる。
【００１９】
ネットワーク接続端子３０５は、図１のＬＡＮ５に接続される。ネットワーク接続部３０４は、ネットワーク接続端子３０５を介して他のサーバや映像音声出力装置１１と各種情報の送受信を行う。外部機器制御部３０６は、ＵＳＢ（Ｕｎｉｖｅｒｓａｌ  Ｓｅｒｉａｌ  Ｂｕｓ）デバイスなどの外部機器を接続するための外部機器接続端子３０７に接続された外部機器からの入力を受付け、外部機器の動作を制御する。エンコーダ３０９は、映像音声出力装置１１に出力する映像や音声などの出力情報を、動画形式にエンコードし、ネットワーク接続部３０４に送信する。
【００２０】
映像音声出力装置１１，１２、１３、１４がサーバ２から映像音声データの配信を受けるため、例えば、サーバ２は、４内の各映像音声出力装置に対し、映像音声データをＩＰマルチキャスト方式で送信する。ＩＰマルチキャスト方式は、例えばルータ４に接続されているすべての端末装置を宛先として映像音声データを伝送する。この方式により、サーバ２は、複数の映像音声出力装置に対し同じ映像音声データを、サーバ２の処理量、およびネットワークの占有伝送帯域幅を増加させることなく効率よく伝送できる。
映像音声出力装置１１、１２、１３、１４がサーバ２から配信される映像音声データを同時に出力する際に、各映像音声出力装置の映像、音声を組み合わせて出力する場合、各映像音声出力装置は、互いに映像、音声の出力タイミングを同期させ出力する必要がある。そのために基準時刻を示す同期パケットをネットワーク上のいずれかの装置が出力し、各映像音声出力装置はその基準時刻に合わせて映像、音声を出力する。例えば、映像音声出力装置１１が時刻マスタ装置となり、映像音声データを受信した場合に、基準時刻を示す同期パケットを他の映像音声出力装置１２、１３、１４に送信し、他の映像音声出力装置１２、１３、１４は受信した同期パケットに合わせて受信した映像、音声を出力する。時刻マスタ装置となるかどうかは、例えばユーザがあらかじめ各映像音声出力装置の内の一つの機器に対し設定しておくなどの方法がある。
【００２１】
図４は、時計部１０９の構成の一例を示す図である。
時計部２０９は、ＰＣＲ取得部２０９１、時計制御部２０９２、２７ＭＨｚカウンタ２０９３、発振部２０９４、９０ｋＨｚカウンタ２０９５から構成される。
ＰＣＲ取得部２０９１は、ストリーム処理部２０６から送信されるＰＣＲを受信し、時計制御部２０９２に送信する。時計制御部２０９２は、ＰＣＲ取得部２０９１から受信したＰＣＲを、２７ＭＨｚカウンタ２０９３及び９０ｋＨｚカウンタ２０９５に設定する。発振部２０９４は、２７ＭＨｚカウンタ２０９３及び９０ｋＨｚカウンタ２０９５を動作させるためのクロックを生成し、それぞれ２７ＭＨｚカウンタ２０９３及び９０ｋＨｚカウンタ２０９５に供給する。
２７ＭＨｚカウンタ２０９３は、発振部２０９４から供給されるクロックを参照して計数値をカウントアップするとともに、計数値をネットワーク送受信部２１５に供給する。９０ｋＨｚカウンタ２０９５は、発振部２０９４から供給されるクロックを参照して計数値をカウントアップするとともに、計数値を映像デコーダ２０７、音声デコーダ２０８に供給する。
【００２２】
図５は、同期再生処理のフローチャートの一例である。ユーザからの操作により、映像音声出力の要求があった場合、映像音声出力装置１１のネットワーク接続部１２７はサーバ２に対し、映像音声データの配信を要求する（ステップＳ５０１）。また、同期処理部２２７は、ローカルエリアネットワーク５上の映像音声出力装置に対して同期再生を行う旨を通知する（ステップＳ５０３）。
次に、同期処理部２２７は、自装置がマスタ装置であるか否かを確認する（ステップＳ５０４）。自装置がマスタ装置である場合は、映像音声出力装置のストリーム処理部２０６はステップＳ５０１の配信要求に応じてサーバから送信された映像音声データからＰＣＲを取得する。次にストリーム処理部２０６は取得したＰＣＲを時計部２０９に通知し、時計部２０９の時計制御部２０９２は通知されたＰＣＲをＳＴＣの初期値として設定する（ステップＳ５０５）。その後、同期処理部２２７は、時計部２０９から取得した基準時刻を示す同期パケットをネットワーク５上の他の映像音声出力装置に送信する（ステップ５０６）。
【００２３】
また、ステップＳ５０４において映像音声出力装置がマスタ装置でない場合は、映像音声出力装置のネットワーク接続部１２７はマスタ装置である他の映像音声出力装置から送信される同期パケットを受信する（ステップＳ５０７）。映像音声出力装置のストリーム処理部２０６はネットワーク接続部１２７を介して受信した同期パケットを時計部１１７に送信する。ＰＣＲ取得部２０９１を介して同期パケットを取得した時計制御部２０９２は、取得した同期パケットをＳＴＣの初期値に設定する（ステップＳ５０８）。
【００２４】
次に映像音声出力装置における時計部２０９の時計制御部２０９２はカウンタの計数値を増加させ、各映像音声データに付随している復号時刻情報（ＤＴＳ）がこの計数値に一致した時刻に映像デコーダ２０７および音声デコーダ２０８はそれぞれ映像および音声のデコード（復号）を行い、映像または音声データに付随する再生出力時刻情報（ＰＴＳ）が一致した時刻に再生（表示）を行う（ステップ５０９、５１０）。
また、映像音声出力装置１１、１２、１３、１４がサーバ２から配信される映像音声データを同時に出力する際に、各映像音声出力装置の映像、音声を組み合わせて出力する場合、その映像音声出力装置の各映像音声出力装置の同期処理部２２７は、自装置の位置を取得し、自装置の位置取得した同期処理部２２７は、拡大倍率と、自装置の位置を映像処理部１１８に通知する。同期処理部２２７から出力すべき位置と拡大倍率を通知された映像処理部２１０は、映像デコーダ２０７がデコードした映像のうち、受信した位置の映像を通知された拡大倍率で拡大する（ステップ５１１）。なお、同期処理部２２７が取得する字装置の位置および映像の拡大倍率は、ユーザが赤外線リモコン等を利用して、各映像音声出力装置のＩＤ番号とその設置位置（上下の段数、左右の列数）を逐次入力するような方法を採用すればよい。
【００２５】
映像の一部分の拡大方法としては、画面全体に映像の一部分が出力されるように映像の一部分のアスペクト比を変更して拡大する方法、映像の一部分のアスペクト比を保持したまま映像出力部２１２の縦もしくは横のサイズに合わせて拡大する方法、などがあるが、各映像音声出力装置が同じ方法で映像を拡大するのであればどのような方法で拡大してもよい。
また、出力する音声の左右バランスを映像音声出力装置の組み合わせの位置により、左チャンネル、右チャンネルの音声バランス処理を行い、音声出力部１２３に出力させる（ステップ５１２）。
【００２６】
図６は、サーバ２から映像音声出力装置に送信される映像の一例である。
図７は、４台の映像音声出力装置を組み合わせて映像を表示させた場合の表示画面の一例を示す図である。図７では４つの映像音声出力装置１１、１２、１３、１４を２段、２列に設置している。サーバ２から配信される映像音声データを同時に出力する際に、各映像音声出力装置の映像、音声を組み合わせて出力する場合の表示パネルの表示例である。６１はサーバ２から配信される映像を示し、７１１、７１２、７１３、７１４は、それぞれ、映像音声出力装置１１、１２、１３、１４の表示パネルが表示している映像である。各映像音声出力装置は、あらかじめその組み合わせ設置位置をユーザからの指示等により設定されている。
このように同期再生処理を行うことで、コンテンツの視聴者に複数の映像音声出力装置を組み合わせた大画面でコンテンツを提供することができる。
【００２７】
映像音声出力装置１１に組み込まれた制御手段は、例えば、左上に設置される映像音声出力装置７１１の場合、サーバ２から配信された映像音声出力装置６１の左上四分の一の部分を縦横２倍の拡大率で拡大し、映像７１１として表示する。同様に他の映像音声出力装置も、組み合わせ設置位置に応じて映像６１の一部を拡大して表示する。また、図示しないが、各映像音声出力装置の組み合わせの位置に応じてスピーカから出力する音声についても、例えば左側の映像音声出力装置１１、１３は左チャンネルの音声を左チャンネル用のスピーカから出力し、右側の映像音声出力装置１２、１４は右チャンネルの音声を右チャンネル用のスピーカから出力する。
このように各映像音声出力装置が同期して、組み合わせ設置位置に応じて映像を表示し音声を出力することで、ネットワークの占有伝送帯域幅を増加させることなく効率よくサーバ２からの映像音声データを出力することが可能になる。本実施例では、４つの映像音声出力装置を組み合わせた際の例を示したが、映像音声出力装置の数は４つに限定するものではなく、組み合わせの数に応じて、映像６１の切り出し位置と拡大率を変えればよい。
また、サーバ２から配信される映像データのうち、任意の箇所を中心に所定の切り出し率で一部を切り出し、各映像音声出力装置がこれをさらに切り出して、映像データの切り出し比率に基づいて、各映像音声出力装置の拡大率を自動的に計算するようにすれば、各映像音声出力装置１１、１２、１３、１４を使用して、サーバ２から配信される映像データの任意の箇所をズームアップすることなども可能である。
【００２８】
（実施例２）
図８は、映像音声出力装置の構成の一例を示す図である。
図８において、映像音声出力装置１１はデジタル放送受信装置である。また、２２２は映像信号圧縮部、２２３はカメラやＡ／Ｄコンバータを含む撮像部、２２４は音声信号圧縮部、２２５はマイクロフォンやＡ／Ｄコンバータを含む音声入力端子、２２６はエンコーダであり、その他の構成は、図２に示した実施形態と同様である。
本実施例では、映像音声出力装置として、例えば、出力する映像や音声に対する視聴者の反応を調べるため、映像や音声を視聴する視聴者の様子を撮影するための撮像部２２３を有し、複数の映像音声出力装置の組み合わせ設置位置を検出することが可能になる。
【００２９】
図９は、映像音声出力装置の設置位置検出方法の一例である。本実施例では、各映像音声出力装置の撮像部２２２が撮影する映像信号により、各映像音声出力装置の相対的な設置位置を検出する。９０１は前述した表示パネル、９０２は撮像部のカメラである。９１１、９１２、９１３、９１４は、前述の実施例のように４つの表示パネルが組み合わされた場合、図７の表示パネル７１１、７１２、７１３、７１４に対応した、ＣＣＤ等の各カメラ９０２による撮影映像の例である。
例えば、前述の映像音声出力装置１１、１２、１３、１４の前方にある被写体９１が各撮像回路で撮影される場合、各映像音声出力装置の設置位置に応じて、特定の撮像対象である被写体９１の映像情報を、周知の映像処理により特定すると図９に示されるように、各撮像装置の設置位置の相違に対応して左右方向（Ｘ１〜Ｘ４）、上下方向（Ｙ１〜Ｙ４）に撮像映像が変化する。
【００３０】
すなわち、同図に示すように、撮影領域に対する被写体９１の位置は、撮影映像９１１と撮影映像９１３との間では、撮影領域の横方向の位置（距離Ｘ１、距離Ｘ２）は同じとなり、同様に撮影映像９１２と撮影映像９１４との間では、撮影領域の横方向の位置（距離Ｘ３、距離Ｘ４）は同じになる。
また、撮影映像９１１と撮影映像９１２、また、撮影映像９１３と撮影映像９１４との間では、撮影領域の縦方向の位置（距離Ｙ１、距離Ｙ２）及び（距離Ｙ３、距離Ｙ４）は同じになる。
したがって、各映像音声出力装置１１、１２、１３、１４は、撮影領域の横方向の位置及び縦方向の位置を演算し、その演算結果をネットワーク接続部２１５を介して他の映像音声出力装置に出力し、他の映像音声出力装置から受信した演算結果および自身の演算結果を相互に比較することにより、各表示パネルの相対的な設置位置を判定することが可能である。なお、ネットワーク接続部２１５を使用することなく、各映像音声出力装置の映像音声入出力端子２１４を利用して、相互に演算結果を入出力するようにしてもよい。
【００３１】
各被写体９１の判別は、撮影映像の濃淡から被写体の輪郭を検出し、その位置を得る方法や、あらかじめ設定した形状パターンを、撮影映像内で検索し、その符合度合いでその位置を検出する方法などがある。
ここで、各映像音声出力装置は、例えばユーザからの操作により、設置位置判定の指示を受けると、各カメラ９０２により、撮像回路前方の映像を撮影する。このとき、ユーザはあらかじめ決められた標準被写体を各映像音声出力装置の撮像回路前方の任意の箇所に設置してもよい。
制御部２１９は、撮影した映像を他の映像音声出力装置に送信するとともに、他の映像音声出力装置からの映像を受信し、各映像を前述の方法などで比較し、それらの相対的な設置位置を求めることが可能になる。各映像音声出力装置は、撮影した映像を送信するのではなく、前述の方法で被写体の位置等の処理結果を送信するとともに、他の映像音声出力装置からの被写体の位置等の処理結果を受信し、比較して設置位置を決めてもよい。以上の例では、四つの映像音声出力装置の場合の例を示したが、それ以上の数の組み合わせ設置の場合も同様に設置位置を求めることができる。
【００３２】
制御部２１９は、自装置の設置位置を判断した場合に、例えば他の映像音声出力装置から送信された映像の数や、ＬＡＮ５に接続されている映像音声出力装置の数などから、何台の映像音声出力装置によって映像を組み合わせて出力するかを判断する。本実施例では、映像音声出力装置１１は、撮影映像９１２、９１３、９１４を取得しているため、制御部２１９は、自装置を含めて４台で映像を出力していることが分かり、さらに、撮影映像９１１、９１２、９１３、９１４の被写体Ｘ軸、Ｙ軸の位置から上述のように縦に２台、横に２台の映像音声出力装置が並んでいることが分かる。制御部２１９は、縦に２台、横に２台の映像音声出力装置が並んでいることから、他の映像音声出力装置と組合せて映像を出力する場合は、縦２倍、横２倍に映像を表示すると判断する。
以上のようにして、制御部２１９は、自装置の設置位置、組合せて映像を表示する映像音声出力装置の数、映像の拡大率を得ることができ、この情報を設置位置情報として記憶部２２０もしくはメモリ２２１などに記憶させる。他の映像音声出力装置と組合せて映像を表示する場合、制御部２１９は、設置位置情報を参照して映像の拡大率や切り取り位置を取得し、映像処理部２１０は、制御部２１９が取得した拡大率に応じて映像を拡大し、切り取り位置に応じて拡大した映像の一部を切り取り、切り取った映像を映像出力部２１２に出力させる。
【００３３】
さらに、各映像音声出力装置の外枠となるフレームに、他の映像音声出力装置が上下、あるいは左右に設置されたのを検出する設置センサを配置して、各映像音声出力装置がそのセンサ出力を相互に比較して、その設置位置を自動的に判定することも可能である。
すなわち、フレームの上面、下面及び両側面の同一箇所に、他の各映像音声出力装置のフレームが密着されたのを検出するとともに、相互に信号を入出力できるプッシュピンなどからなる設置センサを配置し、例えば、ある映像音声出力装置が最上段、最左列に設定された場合、そのフレームの下面及び右側面に配置された設置センサのみがオンとなり、上面及び左側面に配置された設置センサはオフとなるので、このセンサ出力の組み合わせにより、その映像音声出力装置が最上段、最左列に設定されたことを判別することができる。
そして、最上段の左から２列目の映像音声出力装置は、上述した最上段、最左列の映像音声出力装置からの判別データと左側面のセンサ出力により、最上段、最左列の映像音声出力装置と左側面で接続されたことを判別できるので、各映像音声出力装置は順次自分の設置箇所を自己判別することが可能になる。
【００３４】
さらに、各映像音声出力装置として、ディスプレイの下方や左右に超薄型のスピーカが組み込まれたものを使用する場合、ユーザより指示された設置位置情報あるいは自動的に判別した設置位置情報に基づいて、マルチチャンネル化した音声信号に基づいて、サラウンド効果を実現するよう、上述の映像信号と同様に音声信号を切り出し、各映像音声出力装置のスピーカを連携させることも可能である。
もちろん、スピーカを分離することができる映像音声出力装置を使用する場合は、そのスピーカ、あるいは個別に設置した他のスピーカに、切り出した音声信号を出力するようにしてサラウンド効果を実現してもよい。
【００３５】
以上のように、本実施例では、各映像音声出力装置の組み合わせ設置位置をユーザが指定することなく、設定することが可能になるので、ユーザの設置作業が軽減される。また、前述のように、サーバ２の処理量、およびネットワークの占有伝送帯域幅を増加させることなく効率よくサーバ２からの映像音声データを出力することが可能になり、多彩な映像効果、音声効果をシステム全体で実現することが可能になるので、スタジアムや広告塔などで使用される大型マルチ画面ディスプレイとして広く利用されることが期待できる。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、制御部２１９がそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ（Ｄｉｇｉｔａｌ  Ｖｅｒｓａｔｉｌｅ  Ｄｉｓｋ）等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３７】
１１、１２、１３、１４…映像音声出力装置、２…サーバ、３…ネットワーク、４…ルータ、５…ＬＡＮ、２０１…放送信号入力端子、２０２…チューナ、２０３…復調部、２０４…デスクランブラ、２０５…暗号化／復号処理部、２０６…ストリーム処理部、２０７…映像デコーダ、２０８…音声デコーダ、２０９…時計部、２１０…映像処理部、２１１…音声処理部、２１２…映像出力部、２１３…音声出力部、２１４…映像音声入出力端子、２１５…ネットワーク接続部、２１６…ネットワーク接続端子、２１７…外部機器制御部、２１８…外部機器接続端子、２１９…制御部、２２０…記憶部、２２１…メモリ、３０１…制御部、３０２…メモリ、３０３…記憶部、３０４…ネットワーク接続部、３０５…ネットワーク接続端子、３０６…外部機器制御部、３０７…外部機器接続端子、３０８…エンコーダ
【図１】
2012049723.tif 000003
【図２】
2012049723.tif 000004
【図３】
2012049723.tif 000005
【図４】
2012049723.tif 000006
【図５】
2012049723.tif 000007
【図６】
2012049723.tif 000008
【図７】
2012049723.tif 000009
【図８】
2012049723.tif 000010
【図９】
2012049723.tif 000011